(57)【要約】【課題】指静脈パターン入力手段とタッチパネル入力手段を一つにまとめたことにより、特別な設置スペースが必要とせず、且つ、個人認証としての指静脈の認証を効率的に行うことが可能な情報処理装置を提供する。【解決手段】情報処理装置は、指静脈パターンを入力する指静脈パターン入力手段と、  表示装置に表示されたアイテムを操作するために、検出センサで指の接近と接触とを所定の検出範囲内で検出する入力装置とを備えた情報処理装置において、前記指静脈パターン入力手段を前記入力装置に組み合わせたことである。【選択図】  図１
2008242542.tif 000002
【特許請求の範囲】
【請求項１】
指静脈パターンを入力する指静脈パターン入力手段と、
表示装置に表示されたアイテムを操作するために、検出センサで指の接近と接触とを所定の検出範囲内で検出する入力装置とを備えた情報処理装置において、
前記指静脈パターン入力手段を前記入力装置に組み合わせたことを特徴とする情報処理装置。
【請求項２】
請求項１に記載の情報処理装置において、
前記検出センサで指の接近又は接触を検出した場合に、前記検出センサで検出した指の位置情報をもとに、前記指静脈パターン入力手段の所定位置の発光素子とＣＣＤカメラの感度を自動的に調整する機能を備えたことを特徴とする情報処理装置。
【発明の詳細な説明】
【技術分野】
【０００１】
本発明は、指静脈パターンを入力する指静脈パターン入力手段と、表示装置に表示されたアイテムを操作するための入力装置若しくは情報入力及び／又は操作指示のためのキーを有するキー入力手段と、を備えた情報処理装置に関する。
【背景技術】
【０００２】
従来では、情報をアクセスする場合或いは所定の処理操作をする場合に、パスワードなどを用いて所有者本人の識別を行ってきた。しかし、パスワードを用いる場合は、パスワード自体が盗用される危険性が常に存在するため、パスワード以外の方法、例えば個人の生態情報を用いて、個人を識別するようにすることもあった。
個人の生態情報では、例えば、指静脈、指紋、声紋、眼の虹彩等のパターン識別を利用することが考えられる。そのなかでも実用的であると考えられている指静脈認識が注目されている。
【０００３】
指静脈のパターンを識別する方法は、例えば、特願２００７−２５８４０号公報に開示されている自動取引装置があり、それは指静脈情報を登録したカードを読み取るカード部と、表示画面を有する表示部と、別体として指静脈情報を読み取る生体情報読取部と、これらを統括的に制御する制御部と、を備える。
制御部はカードに登録された指静脈情報の指をかざすガイダンスを表示画面に表示させるように制御し、カードに登録された指静脈情報の指をかざすガイダンスを表示画面に表示させるように制御し、カードに登録された指静脈情報が複数あるかを判定して複数ある場合にそれぞれの指をかざすガイダンスを表示画面に表示させるように制御する。
【特許文献１】特開２００７−２５８４０号公報（第４頁  第１図）
【発明の開示】
【発明が解決しようとする課題】
【０００４】
しかしながら、従来技術で説明した指静脈のパターンを識別する方法では、指静脈検出のためのセンサを情報処理装置本体に、或いは情報処理装置にあたっては、設置する場所（スペース）を確保することが困難であるという問題があった。又、別途設けるのは利便性を考慮すると実用的ではなく作業効率を低下させるという問題点があった。
また、上記従来の方法では、情報にアクセスする場合或いは所定の処理操作を行う場合、当該アクセス或いは処理操作とは別に情報処理装置に指静脈パターンを認識させるための操作が必要となるため、操作が煩雑になり、作業全体としての効率を低下させるという問題があった。
【０００５】
従って、指静脈パターンを認識させるための手法を情報処理装置に組み込む等して情報処理装置を操作する手法に関連付けさせて指静脈パターンを認識させるような構成に解決しなければならない課題を有する。
【課題を解決するための手段】
【０００６】
上記課題を解決するために、本願発明に係る情報処理装置は、次に示す構成にしたことである。
【０００７】
（１）情報処理装置は、指静脈パターンを入力する指静脈パターン入力手段と、表示装置に表示されたアイテムを操作するために、検出センサで指の接近と接触とを所定の検出範囲内で検出する入力装置とを備えた情報処理装置において、前記指静脈パターン入力手段を前記入力装置に組み合わせたことである。
（２）（１）に記載の情報処理装置において、前記検出センサで指の接近又は接触を検出した場合に、前記検出センサで検出した指の位置情報をもとに、前記指静脈パターン入力手段の所定位置の発光素子とＣＣＤカメラの感度を自動的に調整する機能を備えたことを特徴とする情報処理装置。
【発明の効果】
【０００８】
本発明においては、指静脈パターン入力手段とタッチパネル入力手段を一つにまとめたことにより、特別な設置スペースが必要とせず、且つ、個人認証としての指静脈の認証を効率的に行うことが可能な情報処理装置が得られるという効果を奏する。
【発明を実施するための最良の形態】
【０００９】
次に、本願発明に係る情報処理装置の実施例について図面を参照して説明する。
【００１０】
本願発明の情報処理装置は、図１に示すように、タッチパネル付ＬＣＤユニット１１であり、複数の操作ボタン１２を備えた表示パネル１３、その操作ボタン１２にタッチするための指１５の静脈を検出するための指静脈センサ１４を操作ボタン１２に組み込むようにして備えた構成になっている。この指静脈センサ１４は、何れかの操作ボタン１２に指が接近してタッチしたことを検出して指の静脈パターンをＣＣＤカメラで撮影して、予め保存されている指静脈パターンとのマッチングを行い指静脈認証をする。
【００１１】
表示パネルを備えた表示操作部に組み込まれた指静脈センサの構成は、図２に示すように、表示パネル１３の外周位置を挟持して固定する表示パネル支持体１６、この表示パネル支持体１６に積層した状態で指静脈センサ支持体１７に発光素子１８を配列させ、発光素子１８と対向した位置にＣＣＤカメラ（受光素子）１９を設けた指静脈センサ部２１を配置し、その上部に積層状態で位置検出センサ支持体２２にＸ軸及びＹ軸上に設けた発光素子２３及び受光素子２４を設けた位置検出センサ部２５を備えた構成になっている。
【００１２】
上述した図２に示す構成からなる本願発明の情報処理装置は、図３に示すように、指の位置を検出するための位置検出センサ部２５と、指の静脈を検出する指静脈センサ部２１と、液晶表示パネル等で構成されている表示部１３と、位置検出センサ部２５で検出した指の位置を処理する位置検出処理部２６と、指静脈センサ部２１での指の静脈をＣＣＤカメラ１９で撮像するように制御し且つ撮像したデータを受信処理する指静脈認証部２７と、ＣＰＵ２８と、表示部１３での表示形態を制御する画像表示駆動部２９とから構成されている。
指静脈センサ部２１及び指静脈認証部２７が指静脈パターンを入力する指静脈パターン入力手段を形成し、表示部１３及び画像表示駆動部２９が表示装置である。
位置検出センサ部２５及び位置検出処理部２６が表示装置に表示されたアイテムを操作するために手の指の接近と接触とを所定の検出範囲内で検出する入力装置を構成する。
【００１３】
位置検出センサ部２５は、所定の検出範囲内での指の位置を検出するセンサ部である。一般的にセンサ部には、抵抗膜方式（アナログ抵抗膜方式）、超音波表面弾性波方式、赤外線遮光方式、静電容量方式、電磁誘導方式、画像認識方式などがあるが、実施例では赤外線遮光方式で構成されており、横方向（Ｘ軸方向）、縦方向（Ｙ軸方向）に赤外ダイオード（発光素子）２３とフォトトランジスタ（受光素子）２４をペアで配置した構成になっている。
【００１４】
指静脈センサ部２１は、指の静脈パターンを抽出するためのセンサ部である。縦方向に発光素子１８を配置し、その対向する位置にＣＣＤカメラ（受光素子）１９を配置した構成になっている。
【００１５】
表示部１３は、例えば、液晶表示パネルで構成されており、各種文字、図形などが表示できる。
【００１６】
位置検出処理部２６は、位置検出センサ部２５で検出した指の位置を処理するものであり、各座標の位置検出処理を行う座標検出部３１と、各座標検出情報を制御するための位置検出制御部３２とで構成されている。
座標検出部３１は、位置検出センサ部２５の縦方向に配置した発光素子２３と対向する受光素子２４の遮蔽状態を検出するＹ座標検出部３３と、位置検出センサ部２５の横方向に配置した発光素子２３と対向する受光素子２４の遮蔽状態を検出するＸ座標検出部３４とからなる。
【００１７】
指静脈認証部２７は、指静脈センサ部２１の発光素子１８及びＣＣＤカメラ１９を駆動させるための指静脈センサ駆動部３５と、指静脈パターンのマッチングを行うために必要な元データ（最適指静脈パターンデータ）を保存しておくためのメモリ部３６と、位置検出制御部３２からの指の位置データに基づいてＣＣＤカメラ１９で撮像した指のデータとメモリ部３６に保存されている最適指静脈パターンデータを参照して指静脈認証を行うための指静脈制御部３７とからなる。
指静脈センサ駆動部３５は、指静脈センサ部２１のＣＣＤカメラ１９を制御するＣＣＤカメラ駆動部３８と、指静脈センサ部２１の発光素子１８を制御する発光素子駆動部３９とからなる。
ＣＣＤカメラ駆動部３８は、指の位置情報を基にして指静脈センサ部２１に配置しているＣＣＤカメラ１９によって撮影される指静脈パターンが鮮明になるように焦点を制御してＣＣＤカメラ１９の感度を自動的に調整する機能を有する。
発光素子駆動部３９は、指の位置情報を基にして指静脈センサ部２１に配置されている発光素子１８の発光量を制御して、指の位置に最適な照明状態を自動的に作り出す調整機能を有する。
【００１８】
上記説明した構成からなる情報処理装置における動作について、図４に示すフローチャートを参照して以下説明する。
【００１９】
先ず、本願発明の情報処理装置を操作するために指を表示部１３のモニター画面に近づけると位置検出センサ部２５により、所定の検出範囲内での指の位置を検出する（ステップＳＴ１１）。
位置検出センサ部２５は、縦方向、横方向に赤外ダイオード（発光素子）２３とフォトトランジスタ（受光素子）２４をペアで配置し順次発光させるようになっており、指などの障害物があると、そこで光が遮られ位置が検出される（ステップＳＴ１２）。
【００２０】
位置検出センサ部２５で検出された検出情報は、位置検出処理部２６に送られて座標検出部３１で処理されて二次元的なＸＹ座標値として出力されて、位置検出制御部３２に送られる。
位置検出制御部３２からの指の位置情報を指静脈認証部２７の指静脈制御部３７に送られて、指静脈センサ部２１を制御するための情報を指静脈センサ駆動部３５に送られる（ステップＳＴ１３）。
【００２１】
指静脈センサ駆動部３５では、指の位置情報を基にして指静脈センサ部２１に配置されている近赤外素子（発光素子）１８の発光量を制御して、指の位置に最適な照射状態を作り出す（ステップＳＴ１４）。
【００２２】
また、同じく指静脈センサ部２１に配置されているＣＣＤカメラ（受光素子）１９によって撮影される指静脈パターンが鮮明になるように焦点を制御する（ステップＳＴ１５）。
【００２３】
指静脈センサ部２１によって撮影された指静脈パターンは、予め指静脈パターンのマッチングを行うために必要な元データ（最適指静脈パターンデータ）としてメモリ部３６に保存しておいたデータと指静脈制御部３７で指静脈パターン構造マッチングが行われる（ステップＳＴ１６、ＳＴ１７）。
【００２４】
指静脈制御部３７で指静脈パターン構造マッチングが行われた結果をＣＰＵ２８に送られて、タッチパネル操作の可否を判断し、その結果を上位に伝える（ステップＳＴ１８、ＳＴ１９）。
【産業上の利用可能性】
【００２５】
指静脈パターン入力手段とタッチパネル入力手段を一つにまとめたことにより、特別な設置スペースが必要とせず、且つ、個人認証としての指静脈の認証を効率的に行うことが可能な情報処理装置を提供する。
【図面の簡単な説明】
【００２６】
【図１】本願発明のタッチパネル付ＬＣＤユニットに指静脈センサを組み込んだ様子を示した説明図である。
【図２】同、表示パネルと指位置検出、指静脈センサの配置状態を示した説明図である。
【図３】同、情報処理装置の全体構成を示す説明図である。
【図４】同、情報処理装置の動作を示すフローチャートである。
【符号の説明】
【００２７】
１１      タッチパネル付ＬＣＤユニット
１２      操作パネル
１３      表示パネル（表示部）
１４      指静脈センサ
１５      指
１６      表示パネル支持体
１７      指静脈センサ支持体
１８      発光素子
１９      ＣＣＤカメラ
２１      指静脈センサ部
２２      位置検出センサ支持体
２３      発光素子
２４      受光素子
２５      位置検出センサ部
２６      位置検出処理部
２７      指静脈認証部
２８      ＣＰＵ
２９      画像表示駆動部
３１      座標検出部
３２      位置検出制御部
３３      Ｙ座標検出部
３４      Ｘ座標検出部
３５      指静脈センサ駆動部
３６      メモリ部
３７      指静脈制御部
３８      ＣＣＤカメラ部
３９      発光素子駆動部。
【図１】
2008242542.tif 000003
【図２】
2008242542.tif 000004
【図３】
2008242542.tif 000005
【図４】
2008242542.tif 000006